(57)【要約】      （修正有）【課題】普段から鏡を、気軽に衣服のポケットなどにペンなどを挿しているような感覚で常に所持できるようにしておき、鏡が急に必要な時、また普段気楽に使用したい時などに、ポケットや手提げバッグなどから探す事なく、気軽で迅速に対応が可能となる携帯用の鏡を提供する。【解決手段】コンパクトな鏡３にクリップ類１を取り付ける。例えば、鏡部分を衣服のポケットなどに合う適宜な大きさにして、その鏡部分の裏側の特定部位にクリップ１を取り付ける。これにより鏡とクリップは一体化され、ポケットなどへ、ペンなどを気軽に挿しているように、クリップ付きコンパクト鏡も気軽に挿すことができ違和感もなく常に所持する事が可能となる。このような事から、いつでも、探す事なく気軽で迅速に対応ができる携帯用の鏡となる。【選択図】図１
0003144513.tif 000002
【実用新案登録請求の範囲】
【請求項１】
コンパクトな鏡に、弾性のある挿し込み式クリップやバネ付きの挟み込み式クリップ及び、その他のクリップ類などを直接的または間接的に取り付けた、鏡とクリップの組合せであるクリップ付きコンパクト鏡。
【考案の詳細な説明】
【技術分野】
【０００１】  本考案は、コンパクトな鏡に、クリップ類を取り付けた鏡に関するものである。
【背景技術】
【０００２】  携帯用のコンパクトな鏡は、普段、衣服のポケットや手提げバッグなどに他の諸々のものと一緒に収納されている場合が多い。鏡が必要な時は、衣服のポケットや手提げバッグなどの中を探したりして多少手間もかけ鏡を取り出している。
【考案の開示】
【考案が解決しようとする課題】
【０００３】  携帯用の鏡を急に必要とする場合、例えば、目にゴミなどが入った時、また場所を気にせず普段気楽に使用したい場合、例えば、食後の口周りの汚れや、また目元、口元の化粧チェックなどに、衣服のポケットや手提げバッグなどの中を探していては、鏡を迅速に、また気軽に取り出すことができない。従って普段、気軽に衣服のポケットなどにペンなどを挿しているような感覚で、常に鏡を所持できるようにする事で、鏡が必要な時、手軽で迅速に対応が可能となり、前述の欠点を解決しようとするものである。
【課題を解決するための手段】
【０００４】  本考案は、コンパクトな鏡に、弾性のある挿し込み式クリップやバネ付きの挟み込み式クリップ及び、その他のクリップ類などを直接的、間接的に取り付ける。例えば、図１で見るように、鏡を衣服などのポケットに合う適宜な大きさにして、板や枠、ケースなどに組込んでその裏側の特定部位にクリップ１を取り付ける。このようにする事で、鏡とクリップは一体化され、衣服のポケットなどに気軽に挿すことができ、簡単で常に所持する事が可能となり、前述の問題点を解決している。
【考案の効果】
【０００５】  本考案のクリップ付きコンパクト鏡は、鏡にクリップが付いている事で、形状により衣服のポケットやバッグのポケットなどにペンなどを挿しているような気軽な感覚で常に所持できる。このような事から、いつでも気軽で迅速に鏡を取り出すことができる。また、鏡をクリップで留められる事から、ポケットからの落下や紛失などの防止となる。さらに、鏡の形状やクリップの種類により、任意の場所へ一時的に、または恒久的に簡単に固定できる。
【考案を実施するための最良の形態】
【０００６】  例えば、クリップ１を多角形や円形の鏡の裏側へ直接にあるいは、図１、図２で見るように、鏡が組込まれた多角形や円形の板状にした鏡ケース２の裏側の特定部位に成型または、接着剤や機械的手段で取り付ける。クリップは、鏡への支点角度が自在にできるものや、支点部分が回転できるものなどを取り付けても良いし、また鏡の形状により複数取り付けても良い。鏡は、樹脂製や金属製、木製や布製の板や枠、ケースなどに組込んで、補強や保護も兼ねて一体化する事も良い。さらに、鏡の面を保護するために蓋など取り付けて、開閉自在とする事も良い。また、鏡は弾性体で出来ているもの、例えば樹脂製や金属製などの物でも良い。
【実施例】
【０００７】  例えば図１に見るものは、鏡が板状のケースに組込まれた鏡ケース２の裏側の特定部位に、弾性のある挿し込み式クリップ１を、成型または接着剤や機械的手段で取り付ける。【０００８】  例えば図２に見るものは、鏡が板状のケースに組込まれた鏡ケース２の裏側の特定部位に、バネ付きの挟み込み式クリップ１を、成型または接着剤や機械的手段で取り付ける。【０００９】  本考案は、上述のような構成から成るものであるから、衣服のポケットやバッグなどに、ペンなどを気軽に挿し込むのと同じような感覚で、携帯用の鏡として常に所持できる。
【図面の簡単な説明】
【００１０】  本考案の実施例としての二例の場合について示してみる。
【図１】鏡３が組込まれた鏡ケース２の裏側に弾性のある挿し込み式クリップ１を取り付けた斜視図と、鏡３と鏡ケース２のＡ−Ａに沿った切断面図および、正面図である。
【図２】鏡３が組込まれた鏡ケース２の裏側にバネ付きの挟み込み式クリップ１を取り付けた斜視図である。
【符号の説明】
【００１１】  １  クリップ
２  鏡ケース
３  鏡
【図１】
0003144513.tif 000003
【図２】
0003144513.tif 000004
【手続補正書】
【提出日】平成20年6月20日(2008.6.20)
【手続補正１】
【補正対象書類名】実用新案登録請求の範囲
【補正対象項目名】全文
【補正方法】変更
【補正の内容】
【実用新案登録請求の範囲】
【請求項１】
衣服やバッグのポケットなどに入るコンパクトな鏡の本体に、弾性のある挿し込み式クリップやバネ付きの挟み込み式クリップを鏡本体の裏側部分に取り付けて一体化し、鏡本体で挿し込みや挟み込みが出来る仕組みにした、挿し込み式のコンパクトな鏡。
【手続補正２】
【補正対象書類名】明細書
【補正対象項目名】全文
【補正方法】変更
【補正の内容】
【考案の詳細な説明】
【技術分野】
【０００１】  本考案は、コンパクトな鏡が挿し込みや挟み込み機能を持った、鏡に関するものである。
【背景技術】
【０００２】  携帯用のコンパクトな鏡は、普段、衣服やバッグなどのポッケトに他の諸々のものと一緒に収納されている場合が多い。鏡が必要な時は、衣服やバッグなどのポッケトの中を探して多少手間もかけ鏡を取り出している。
【考案の開示】
【考案が解決しようとする課題】
【０００３】  携帯用の鏡を急に必要とする場合、例えば、目にゴミなどが入った時、また場所を気にせず普段気楽に使用したい場合、例えば、食後の口周りの汚れや、また目元、口元の化粧チェックなどに、衣服やバッグのなどのポッケトの中を探していては、鏡を迅速に、また気軽に取り出すことができない。従って鏡の機能とクリップの機能を一体化して普段、気軽に衣服やバッグなどのポケットにボールペンなどを挿しているような感覚で、常に鏡を所持できるようにする事で、鏡が必要な時、手軽で迅速に対応が可能となり、前述の欠点を解決しようとするものである。
【課題を解決するための手段】
【０００４】  本考案は、コンパクトな鏡に、弾性のある挿し込み式クリップやバネ付きの挟み込み式クリップを鏡本体の裏側部分に取り付けて一体化し、鏡本体で挿し込みや挟み込みが出来る仕組みにする。例えば、図１で見るように、鏡を衣服などのポケットに合う適宜な大きさにして、板や枠、ケースなどに組込んでその裏側の特定部位にクリップ１を取り付ける。このようにする事で、鏡とクリップは一体化し、鏡にクリップ機能が発生する。これにより鏡本体で衣服やバッグのポケットなどに気軽に挿すことができ、簡単で常に所持する事が可能となり、前述の問題点を解決している。
【考案の効果】
【０００５】  本考案の挿し込み式コンパクト鏡は、衣服やバッグのポケットなどへ直接、挿し込みや挟み込みができる。このような事から、いつでも気軽に所持でき迅速に鏡を取り出すことができる。また、クリップ機能があるからポケットからの落下や紛失などを防止できる。さらに、任意の場所へ一時的に、または恒久的に簡単に固定できる。
【考案を実施するための最良の形態】
【０００６】  例えば、クリップ１を多角形や円形の鏡の裏側へ直接にあるいは、図１、図２で見るように、鏡が組込まれた多角形や円形の板状にした鏡ケース２の裏側の特定部位に成型または、接着剤や機械的手段で取り付け一体化する。クリップは、鏡の形状により複数取り付けても良い。鏡は、枠、ケースなどに組込んで、補強や保護も兼ねて一体化する事も良い。さらに、鏡の面を保護するために蓋など取り付けて、開閉自在とする事も良い。また、鏡は弾性体で出来ているもの、例えば樹脂製や金属製などの物でも良い。
【実施例】
【０００７】  例えば図１に見るものは、鏡が板状のケースに組込まれた鏡ケース２の裏側の特定部位に、弾性のある挿し込み式クリップ１を、成型または接着剤や機械的手段で取り付け一体化する。【０００８】  例えば図２に見るものは、鏡が板状のケースに組込まれた鏡ケース２の裏側の特定部位に、バネ付きの挟み込み式クリップ１を、成型または接着剤や機械的手段で取り付け一体化する。【０００９】  本考案は、上述のような構成から成るものであるから、衣服やバッグなどのポケットに、ボールペンなどを気軽に挿し込むような感覚で、携帯用の鏡として常に所持できる。
【図面の簡単な説明】
【００１０】  本考案の実施例としての二例の場合について示してみる。【図１】鏡３が組込まれた鏡ケース２の裏側に弾性のある挿し込み式クリップ１を取り付け一体化した斜視図と、鏡３と鏡ケース２のＡ−Ａに沿った切断面図および、正面図である。
【図２】鏡３が組込まれた鏡ケース２の裏側にバネ付きの挟み込み式クリップ１を取り付け一体化した斜視図である。
【符号の説明】
【００１１】  １  クリップ
２  鏡ケース
３  鏡